(57)【要約】      （修正有）【課題】アミノベンゾピラノキサンテン系(ABPX)色素化合物の高収率な製造方法の提供。【解決手段】式（１）で表される化合物と式（２）で表される化合物とを縮合剤の存在下反応させる、式（３）で表されるＡＢＰＸ系化合物の製造方法。2017088879.tif 000051［Ｒ1は夫々独立にＨ、Ｃ１〜６のアルキル基等；Ｒ2及びＲ4は各々独立にＨ又はアルキル基等、但し、Ｒ2及びＲ4の少なくとも一方はアルキル基等；Ｒ3及びＲ8は各々独立にハロゲン原子、Ｃ１〜６のアルキル基又はカルボキシル基；ｍは０〜３の整数；ｎは０〜４の整数］【選択図】なし【特許請求の範囲】
【請求項１】
下記一般式（１）で表される化合物と下記一般式（２）で表される化合物とを縮合剤の存在下反応させることを特徴とする、下記一般式（３）で表される化合物の製造方法。
【化１】
2017088879.tif 000047
［一般式（１）〜（３）中、Ｒ1は、それぞれ独立に水素原子、炭素数１〜６のアルキル基もしくは炭素数６〜１４のアリール基を示すか、２つのＲ1が結合して環を形成してもよく、又はＲ1が結合している窒素原子と共にヘテロ環を形成していてもよい。Ｒ2及びＲ4は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3は、それぞれ独立にハロゲン原子、炭素数１〜６のアルキル基又はカルボキシル基を示すが、複数のＲ3が結合して環を形成してもよい。Ｒ8は、それぞれ独立にハロゲン原子、炭素数１〜６のアルキル基又はカルボキシル基を示すが、Ｒ1とＲ8が結合して環を形成してもよい。ｍは０〜３の数を示す。ｎは０〜４の数を示す。］
【請求項２】
一般式（１）で表される化合物と一般式（２）で表される化合物とを縮合剤の存在下反応させ一般式（４）で表される化合物を得、
次に、前記一般式（４）で表される化合物と一般式（５）で表される化合物とを縮合剤の存在下反応させ一般式（６）で表される化合物を得、
さらに、前記一般式（６）で表される化合物を環化することを特徴とする、一般式（７）で表される化合物の製造方法。
【化２】
2017088879.tif 000048
［一般式（１）〜（２）及び（４）〜（７）中、Ｒ1及びＲ5は、それぞれ独立に水素原子、炭素数１〜６のアルキル基もしくは炭素数６〜１４のアリール基を示すか、２つのＲ1同士もしくは２つのＲ5同士が結合して環を形成してもよく、又はＲ1もしくはＲ5が結合している窒素原子と共にヘテロ環を形成していてもよい。Ｒ2、Ｒ4及びＲ6は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3及びＲ7は、それぞれ独立にハロゲン原子、炭素数１〜６のアルキル基又はカルボキシル基を示すが、複数のＲ3同士又は複数のＲ7同士が結合して環を形成してもよい。Ｒ8は、それぞれ独立にハロゲン原子、炭素数１〜６のアルキル基又はカルボキシル基を示すが、Ｒ1とＲ8が結合して環を形成してもよい。Ｒ9は、それぞれ独立にハロゲン原子、炭素数１〜６のアルキル基又はカルボキシル基を示すが、Ｒ5とＲ9が結合して環を形成してもよい。ｍは０〜３の数を示す。ｎは０〜４の数を示す。ｏは０〜３の数を示す。ｐは０〜４の数を示す。］
【請求項３】
一般式（７）で表される化合物。
【化３】
2017088879.tif 000049
［一般式（７）中、Ｒ1及びＲ5は、それぞれ独立に水素原子、炭素数１〜６のアルキル基もしくは炭素数６〜１４のアリール基を示すか、２つのＲ1同士もしくは２つのＲ5同士が結合して環を形成してもよく、又はＲ1もしくはＲ5が結合している窒素原子と共にヘテロ環を形成していてもよい。Ｒ3及びＲ7は、それぞれ独立にハロゲン原子、炭素数１〜６のアルキル基又はカルボキシル基を示すが、複数のＲ3同士又は複数のＲ7同士が結合して環を形成してもよい。Ｒ8は、それぞれ独立にハロゲン原子、炭素数１〜６のアルキル基又はカルボキシル基を示すが、Ｒ1とＲ8が結合して環を形成してもよい。Ｒ9は、それぞれ独立にハロゲン原子、炭素数１〜６のアルキル基又はカルボキシル基を示すが、Ｒ5とＲ9が結合して環を形成してもよい。但し、Ｒ1及びＲ5、Ｒ3及びＲ7並びにＲ8及びＲ9のうち少なくとも一組は、互いに異なるものを示す。ｍは０〜３の数を示す。ｎは０〜４の数を示す。ｏは０〜３の数を示す。ｐは０〜４の数を示す。］
【請求項４】
一般式（４）で表される化合物。
【化４】
2017088879.tif 000050
［一般式（４）中、Ｒ1は、それぞれ独立に水素原子、炭素数１〜６のアルキル基もしくは炭素数６〜１４のアリール基を示すか、２つのＲ1が結合して環を形成してもよく、又はＲ1が結合している窒素原子と共にヘテロ環を形成していてもよい。Ｒ2及びＲ4は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3は、ハロゲン原子、炭素数１〜６のアルキル基又はカルボキシル基を示すが、複数のＲ3が結合して環を形成してもよい。Ｒ8は、それぞれ独立にハロゲン原子、炭素数１〜６のアルキル基又はカルボキシル基を示すが、Ｒ1とＲ8が結合して環を形成してもよい。ｍは０〜３の数を示す。ｎは０〜４の数を示す。］
【発明の詳細な説明】
【技術分野】
【０００１】
本発明は、アミノベンゾピラノキサンテン系(ABPX)色素化合物の製造方法に関する。
【背景技術】
【０００２】
ローダミン２分子が縮合したアミノベンゾピラノキサンテン系(ABPX)色素化合物は、一分子多色性を示す有機色素化合物であり、その光物性の特徴を利用して、センシング材料等として広く応用されている（特許文献１及び非特許文献１、２）。
【０００３】
アミノベンゾピラノキサンテン系(ABPX)色素化合物において、キサンテン環構造の窒素部位を縮環した誘導体は発光効率が高くなることや、吸収波長や蛍光波長が変化することが知られているが、ベンゾフェノン誘導体とレゾルシノールとの溶融加熱反応を用いた従来の合成法では、ロドール(Rhodol)をはじめとする副生成物の生成により、反応収率の低下をもたらすといった課題があり実用性に乏しかった（非特許文献３）。
【先行技術文献】
【特許文献】
【０００４】
【特許文献１】米国特許第８１３４０１７号明細書
【０００５】
【非特許文献１】Y. Shirasaki et al., "New Aminobenzopyranoxanthene-Based Colorimetric Sensor for Copper (II) Ions with Dual-Color Signal Detection System", Chem. Asian. J, 2013年, 8, p.2609-2613
【非特許文献２】M. Tanioka et al., "Reversible Near-Infrared/Blue Mechanofluorochromism of Aminobenzopyranoxanthene", J. Am. Chem. Soc., 2015年, 137, p.6436-6439
【非特許文献３】S. Kamino et al., "Design and Syntheses of Highly Emissive Aminobenzopyrano-xanthene Dyes in the Visible and Far-Red Regions", Org. Lett., 2014年, 16, p.258-261
【発明の概要】
【発明が解決しようとする課題】
【０００６】
従って、本発明は、高収率でアミノベンゾピラノキサンテン系(ABPX)色素化合物を得ることができる製造方法を提供することを目的とする。
また、本発明は、従来合成できなかった、キサンテン環構造の２つの窒素原子が非対称な置換基を有するアミノベンゾピラノキサンテン系(ABPX)色素化合物並びに、２つのフェニル環構造が非対称な置換基を有するアミノベンゾピラノキサンテン系(ABPX)色素化合物の製造方法を提供することを目的とする。
【課題を解決するための手段】
【０００７】
本願発明者らは、上記課題を解決するために鋭意研究を行った結果、以下の製造方法が上述した課題を解決できることを見出し、本発明に想到するに至った。
【０００８】
即ち、本発明は、次の発明を提供するものである。
【０００９】
＜１＞
下記一般式（１）で表される化合物と下記一般式（２）で表される化合物とを縮合剤の存在下反応させることを特徴とする、下記一般式（３）で表される化合物の製造方法。
【００１０】
【化１】
2017088879.tif 000002
【００１１】
［一般式（１）〜（３）中、Ｒ1は、それぞれ独立に水素原子、炭素数１〜６のアルキル基もしくは炭素数６〜１４のアリール基を示すか、２つのＲ1が結合して環を形成してもよく、又はＲ1が結合している窒素原子と共にヘテロ環を形成していてもよい。Ｒ2及びＲ4は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3は、それぞれ独立にハロゲン原子、炭素数１〜６のアルキル基又はカルボキシル基を示すが、複数のＲ3が結合して環を形成してもよい。Ｒ8は、それぞれ独立にハロゲン原子、炭素数１〜６のアルキル基又はカルボキシル基を示すが、Ｒ1とＲ8が結合して環を形成してもよい。ｍは０〜３の数を示す。ｎは０〜４の数を示す。］
【００１２】
＜２＞
一般式（１）で表される化合物と一般式（２）で表される化合物とを縮合剤の存在下反応させ一般式（４）で表される化合物を得、
次に、前記一般式（４）で表される化合物と一般式（５）で表される化合物とを縮合剤の存在下反応させ一般式（６）で表される化合物を得、
さらに、前記一般式（６）で表される化合物を環化することを特徴とする、一般式（７）で表される化合物の製造方法。
【００１３】
【化２】
2017088879.tif 000003
【００１４】
［一般式（１）〜（２）及び（４）〜（７）中、Ｒ1及びＲ5は、それぞれ独立に水素原子、炭素数１〜６のアルキル基もしくは炭素数６〜１４のアリール基を示すか、２つのＲ1同士もしくは２つのＲ5同士が結合して環を形成してもよく、又はＲ1もしくはＲ5が結合している窒素原子と共にヘテロ環を形成していてもよい。Ｒ2、Ｒ4及びＲ6は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3及びＲ7は、それぞれ独立にハロゲン原子、炭素数１〜６のアルキル基又はカルボキシル基を示すが、複数のＲ3同士又は複数のＲ7同士が結合して環を形成してもよい。Ｒ8は、それぞれ独立にハロゲン原子、炭素数１〜６のアルキル基又はカルボキシル基を示すが、Ｒ1とＲ8が結合して環を形成してもよい。Ｒ9は、それぞれ独立にハロゲン原子、炭素数１〜６のアルキル基又はカルボキシル基を示すが、Ｒ5とＲ9が結合して環を形成してもよい。ｍは０〜３の数を示す。ｎは０〜４の数を示す。ｏは０〜３の数を示す。ｐは０〜４の数を示す。］
【００１５】
＜３＞
一般式（７）で表される化合物。
【００１６】
【化３】
2017088879.tif 000004
【００１７】
［一般式（７）中、Ｒ1及びＲ5は、それぞれ独立に水素原子、炭素数１〜６のアルキル基もしくは炭素数６〜１４のアリール基を示すか、２つのＲ1同士もしくは２つのＲ5同士が結合して環を形成してもよく、又はＲ1もしくはＲ5が結合している窒素原子と共にヘテロ環を形成していてもよい。Ｒ3及びＲ7は、それぞれ独立にハロゲン原子、炭素数１〜６のアルキル基又はカルボキシル基を示すが、複数のＲ3同士又は複数のＲ7同士が結合して環を形成してもよい。Ｒ8は、それぞれ独立にハロゲン原子、炭素数１〜６のアルキル基又はカルボキシル基を示すが、Ｒ1とＲ8が結合して環を形成してもよい。Ｒ9は、それぞれ独立にハロゲン原子、炭素数１〜６のアルキル基又はカルボキシル基を示すが、Ｒ5とＲ9が結合して環を形成してもよい。但し、Ｒ1及びＲ5、Ｒ3及びＲ7並びにＲ8及びＲ9のうち少なくとも一組は、互いに異なるものを示す。ｍは０〜３の数を示す。ｎは０〜４の数を示す。ｏは０〜３の数を示す。ｐは０〜４の数を示す。］
【００１８】
＜４＞
一般式（４）で表される化合物。
【００１９】
【化４】
2017088879.tif 000005
【００２０】
［一般式（４）中、Ｒ1は、それぞれ独立に水素原子、炭素数１〜６のアルキル基もしくは炭素数６〜１４のアリール基を示すか、２つのＲ1が結合して環を形成してもよく、又はＲ1が結合している窒素原子と共にヘテロ環を形成していてもよい。Ｒ2及びＲ4は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3は、ハロゲン原子、炭素数１〜６のアルキル基又はカルボキシル基を示すが、複数のＲ3が結合して環を形成してもよい。Ｒ8は、それぞれ独立にハロゲン原子、炭素数１〜６のアルキル基又はカルボキシル基を示すが、Ｒ1とＲ8が結合して環を形成してもよい。ｍは０〜３の数を示す。ｎは０〜４の数を示す。］
【発明の効果】
【００２１】
本発明によれば、高収率でアミノベンゾピラノキサンテン系(ABPX)色素化合物を得ることができる。さらに、本発明の製造方法によれば、従来合成できなかった、キサンテン環構造の２つの窒素原子が非対称な置換基を有するアミノベンゾピラノキサンテン系(ABPX)色素化合物並びに、２つのフェニル環構造が非対称な置換基を有するアミノベンゾピラノキサンテン系(ABPX)色素化合物を合成することができる。
【発明を実施するための形態】
【００２２】
以下、本発明を詳細に説明する。
【００２３】
まず、下記一般式（３）で表される化合物の製造方法について説明する。
本方法は、下記一般式（１）で表される化合物と下記一般式（２）で表される化合物とを縮合剤の存在下反応させることを特徴とする。
【００２４】
【化５】
2017088879.tif 000006
【００２５】
［一般式（１）〜（３）中、Ｒ1は、それぞれ独立に水素原子、炭素数１〜６のアルキル基もしくは炭素数６〜１４のアリール基を示すか、２つのＲ1が結合して環を形成してもよく、又はＲ1が結合している窒素原子と共にヘテロ環を形成していてもよい。Ｒ2及びＲ4は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3は、それぞれ独立にハロゲン原子、炭素数１〜６のアルキル基又はカルボキシル基を示すが、複数のＲ3が結合して環を形成してもよい。Ｒ8は、それぞれ独立にハロゲン原子、炭素数１〜６のアルキル基又はカルボキシル基を示すが、Ｒ1とＲ8が結合して環を形成してもよい。ｍは０〜３の数を示す。ｎは０〜４の数を示す。］
【００２６】
一般式（１）及び（３）のＲ1の炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
【００２７】
一般式（１）及び（３）のＲ1の炭素数６〜１４のアリール基としては、単環式であっても多環式であってもよく、ベンゼン環又は縮合環２個以上が単結合を介して結合した基、２価の有機基（例えば、ビニレン基等のアルケニレン基）を介して結合した基、及びヘテロアリール基も含まれる。具体的には、フェニル基、アルキルフェニル基、アルコキシフェニル基、１−ナフチル基、２−ナフチル基、１−アントラセニル基、２−アントラセニル基、９−アントラセニル基、２−ビフェニル基、３−ビフェニル基、４−ビフェニル基、チエニル基、ピリジル基、インドリル基等が挙げられる。アリール基の水素原子はハロゲン原子等で置換されていてもよい。これらのなかでも、フェニル基が好ましい。
【００２８】
２つのＲ1が結合して環を形成している場合、２つのＲ1は酸素原子や硫黄原子等のヘテロ原子を介して結合してもよい。２つのＲ1が結合して環を形成している場合としては、Ｒ1が結合する窒素原子と共に表すと、例えば以下の構造が挙げられる。
【００２９】
【化６】
2017088879.tif 000007
【００３０】
Ｒ1が結合している窒素原子と共にヘテロ環を形成している場合としては、Ｒ1が結合する窒素原子と共に表すと、例えば以下の構造が挙げられる。
【００３１】
【化７】
2017088879.tif 000008
【００３２】
一般式（１）及び（３）において２つのＲ1は、同一であっても異なっていてもよい。２つのＲ1が異なる場合としては、例えば、１つのＲ1はアルキル基であり、もう１つのＲ1はＲ1が結合している窒素原子と共にヘテロ環を形成している構造が挙げられる。
【００３３】
一般式（１）〜（３）中、Ｒ2及びＲ4のアルキル基としては、炭素数１〜１２、好ましくは１〜６のものが挙げられ、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。なかでもＲ4のアルキル基は、メチル基、エチル基及びイソプロピル基が好ましい。
また、Ｒ2及びＲ4のアルキル基は置換基を有していてもよい。該置換基としては、メトキシ基、エトキシ基等のアルコキシ基；フェニル基等のアリール基；メトキシフェニル基、エトキシフェニル基等のアルコキシアリール基等が挙げられる。
上述したもののうち、メチル基、メトキシメチル基、ベンジル基、メトキシベンジル基等が好ましく、なかでも合成のしやすさからメチル基が特に好ましい。
【００３４】
一般式（１）〜（３）中、Ｒ2及びＲ4のアシル基としては、アセチル基、ピバロイル基、ベンゾイル基等が挙げられる。
【００３５】
一般式（１）〜（３）中、Ｒ2及びＲ4のシリル基としては、トリメチルシリル基、トリエチルシリル基、トリイソプロピルシリル基、ｔ−ブチルジメチルシリル基等のトリアルキルシリル基；ｔ−ブチルジフェニルシリル基等が挙げられる。
【００３６】
一般式（１）〜（３）中、Ｒ3及びＲ8のハロゲン原子としては、フッ素原子、塩素原子、臭素原子、ヨウ素原子等が挙げられる。また、炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
Ｒ3又はＲ8が複数ある場合、それらはそれぞれ同一でも異なっていてもよい。
【００３７】
一般式（１）で表される化合物は、既報（非特許文献３）に従い合成することができるが、具体的には、例えば以下の化合物（１−１）〜（１−２０）が挙げられる。
【００３８】
【化８】
2017088879.tif 000009
【００３９】
一般式（２）で表される化合物と、一般式（２）で表される化合物に対して2〜3倍当量、好ましくは約2倍当量の前記一般式（１）で表される化合物とを混合し、縮合剤の存在下反応する。ここで、縮合剤としては、特に限定されないが、硫酸、塩酸、リン酸、ポリリン酸、スルホン酸、メタンスルホン酸、エタンスルホン酸、トルエンスルホン酸、ベンゼンスルホン酸、トリフルオロ酢酸、トリフルオロメタンスルホン酸、ビストリフルオロメタンスルホンイミド、三塩化アルミニウム、塩化亜鉛、塩化ホスホリル、塩化鉄、塩化ジルコニウム、塩化ランタン、トリフルオロメタンスルホン酸ビスマス、トリフルオロメタンスルホン酸亜鉛、トリフルオロメタンスルホン酸イッテルビウム、トリフルオロメタンスルホン酸銅、トリフルオロメタンスルホン酸スズ、トリフルオロメタンスルホン酸ランタン、トリフルオロメタンスルホン酸ネオジム等が挙げられる。これらのなかでも、メタンスルホン酸、エタンスルホン酸が好ましく、メタンスルホン酸が特に好ましい。
この反応温度は、反応基質、縮合剤や用いる溶媒の種類により適宜選択されるが、通常、室温〜200℃程であり、室温〜150℃が好ましい。反応時間は、反応温度にもよるが、通常10分〜3日間程であり、加熱する場合においても同様の条件である。反応終了後、反応液を中和し、精製し、一般式（３）で表される化合物を得ることができる。
【００４０】
一般式（３）で表される化合物は、水素イオンの授受により、以下に示される、中性型、モノカチオン型、ジカチオン型の３つの構造をとり得る。
【化９】
2017088879.tif 000010
【００４１】
本発明において、一般式（３）で表される化合物には、これら３つの構造が含まれるものとする。
【００４２】
本発明において、Ｒ2及びＲ4の少なくとも一方はアルキル基、アシル基、シリル基及びテトラヒドロピラニル基より選ばれる基であり、一般式（３）で表される化合物を高収率で得るためには、２つのＲ4は同一であることが好ましい。
すなわち、Ｒ2が水素原子である場合、２つのＲ4はアルキル基、アシル基、シリル基及びテトラヒドロピラニル基より選ばれる基であることが好ましい。また、Ｒ2がアルキル基、アシル基、シリル基及びテトラヒドロピラニル基より選ばれる基である場合、２つのＲ4は共に水素原子であるか又は共にアルキル基、アシル基、シリル基及びテトラヒドロピラニル基より選ばれる基であることが好ましい。
【００４３】
本発明ではこのようにＲ2及びＲ4の少なくとも一方をアルキル基、アシル基、シリル基及びテトラヒドロピラニル基より選ばれる基で保護することにより、副生成物であるロドールの生成を抑制し、一般式（３）で表される化合物の収率を向上することができる。
【００４４】
次に、一般式（７）で表される化合物の製造方法について説明する。
本方法は、一般式（１）で表される化合物と一般式（２）で表される化合物とを縮合剤の存在下反応させ一般式（４）で表される化合物を得、次に、前記一般式（４）で表される化合物と一般式（５）で表される化合物とを縮合剤の存在下反応させ一般式（６）で表される化合物を得、さらに、前記一般式（６）で表される化合物を環化することを特徴とする。
【００４５】
【化１０】
2017088879.tif 000011
【００４６】
［一般式（１）〜（２）及び（４）〜（７）中、Ｒ1及びＲ5は、それぞれ独立に水素原子、炭素数１〜６のアルキル基もしくは炭素数６〜１４のアリール基を示すか、２つのＲ1同士もしくは２つのＲ5同士が結合して環を形成してもよく、又はＲ1もしくはＲ5が結合している窒素原子と共にヘテロ環を形成していてもよい。Ｒ2、Ｒ4及びＲ6は、それぞれ独立に水素原子又はアルキル基、アシル基、シリル基及びテトラヒドロピラニル基より選ばれる基を示す。但し、Ｒ2及びＲ4の少なくとも一方はアルキル基、アシル基、シリル基及びテトラヒドロピラニル基より選ばれる基である。Ｒ3及びＲ7は、それぞれ独立にハロゲン原子、炭素数１〜６のアルキル基又はカルボキシル基を示すが、複数のＲ3同士又は複数のＲ7同士が結合して環を形成してもよい。Ｒ8は、それぞれ独立にハロゲン原子、炭素数１〜６のアルキル基又はカルボキシル基を示すが、Ｒ1とＲ8が結合して環を形成してもよい。Ｒ9は、それぞれ独立にハロゲン原子、炭素数１〜６のアルキル基又はカルボキシル基を示すが、Ｒ5とＲ9が結合して環を形成してもよい。ｍは０〜３の数を示す。ｎは０〜４の数を示す。ｏは０〜３の数を示す。ｐは０〜４の数を示す。］
【００４７】
一般式（１）及び（４）〜（７）中、Ｒ1及びＲ5の炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
【００４８】
一般式（１）及び（４）〜（７）中、Ｒ1及びＲ5の炭素数６〜１４のアリール基としては、単環式であっても多環式であってもよく、ベンゼン環又は縮合環２個以上が単結合を介して結合した基、２価の有機基（例えば、ビニレン基等のアルケニレン基）を介して結合した基、及びヘテロアリール基も含まれる。具体的には、フェニル基、アルキルフェニル基、アルコキシフェニル基、１−ナフチル基、２−ナフチル基、１−アントラセニル基、２−アントラセニル基、９−アントラセニル基、２−ビフェニル基、３−ビフェニル基、４−ビフェニル基、チエニル基、ピリジル基、インドリル基等が挙げられる。アリール基の水素原子はハロゲン原子等で置換されていてもよい。これらのなかでも、フェニル基が好ましい。
【００４９】
２つのＲ1同士もしくは２つのＲ5同士が結合して環を形成している場合、２つのＲ1もしくは２つのＲ5は酸素原子や硫黄原子等のヘテロ原子を介して結合してもよい。２つのＲ1同士もしくはＲ5同士が結合して環を形成する場合としては、Ｒ1またはＲ5が結合する窒素原子と共に表すと、例えば以下の構造が挙げられる。
【００５０】
【化１１】
2017088879.tif 000012
【００５１】
Ｒ1もしくはＲ5が結合している窒素原子と共にヘテロ環を形成している場合としては、Ｒ1が結合する窒素原子と共に表すと、例えば以下の構造が挙げられる。
【００５２】
【化１２】
2017088879.tif 000013
【００５３】
一般式（１）及び（４）〜（７）において２つのＲ1及び２つのＲ5は、それぞれ同一であっても異なっていてもよい。２つのＲ1又は２つのＲ5が異なる場合としては、例えば、一方はアルキル基であり、もう一方はＲ1又はＲ5が結合している窒素原子と共にヘテロ環を形成している構造が挙げられる。
【００５４】
一般式（１）〜（２）及び（４）〜（７）中、Ｒ2、Ｒ4及びＲ6のアルキル基としては、炭素数１〜１２、好ましくは１〜６のものが挙げられ、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
また、Ｒ2、Ｒ4及びＲ6のアルキル基は置換基を有していてもよい。該置換基としては、メトキシ基、エトキシ基等のアルコキシ基；フェニル基等のアリール基；メトキシフェニル基、エトキシフェニル基等のアルコキシアリール基等が挙げられる。
上述したもののうち、メチル基、メトキシメチル基、ベンジル基、メトキシベンジル基等が好ましく、なかでも合成のしやすさからメチル基が特に好ましい。
【００５５】
一般式（１）〜（３）中、Ｒ2、Ｒ4及びＲ6のアシル基としては、アセチル基、ピバロイル基、ベンゾイル基等が挙げられる。
【００５６】
一般式（１）〜（２）及び（４）〜（７）中、Ｒ2、Ｒ4及びＲ6のシリル基としては、トリメチルシリル基、トリエチルシリル基、トリイソプロピルシリル基、ｔ−ブチルジメチルシリル基等のトリアルキルシリル基；ｔ−ブチルジフェニルシリル基等が挙げられる。
【００５７】
一般式（１）及び（４）〜（７）中、Ｒ3、Ｒ7、Ｒ8及びＲ9のハロゲン原子としては、フッ素原子、塩素原子、臭素原子、ヨウ素原子等が挙げられる。また、炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
Ｒ3、Ｒ7、Ｒ8又はＲ9が複数ある場合、それらはそれぞれ同一でも異なっていてもよい。
【００５８】
一般式（１）で表される化合物としては、上記の一般式（３）で表される化合物の製造方法において例示したものと同様の化合物が挙げられる。
【００５９】
一般式（１）で表される化合物と一般式（２）で表される化合物とをほぼ等モル量混合し、縮合剤の存在下反応する。縮合剤としては、特に限定されないが、硫酸、塩酸、リン酸、ポリリン酸、スルホン酸、メタンスルホン酸、エタンスルホン酸、トルエンスルホン酸、ベンゼンスルホン酸、トリフルオロ酢酸、トリフルオロメタンスルホン酸、ビストリフルオロメタンスルホンイミド、三塩化アルミニウム、塩化亜鉛、塩化ホスホリル、塩化鉄、塩化ジルコニウム、塩化ランタン、トリフルオロメタンスルホン酸ビスマス、トリフルオロメタンスルホン酸亜鉛、トリフルオロメタンスルホン酸イッテルビウム、トリフルオロメタンスルホン酸銅、トリフルオロメタンスルホン酸スズ、トリフルオロメタンスルホン酸ランタン、トリフルオロメタンスルホン酸ネオジム等が挙げられる。これらのなかでも、メタンスルホン酸、エタンスルホン酸が好ましく、メタンスルホン酸が特に好ましい。
このとき、ジクロロメタンのような溶媒の存在下反応を行ってもよい。
この反応温度は、反応基質、縮合剤や用いる溶媒の種類により適宜選択されるが、通常、室温〜200℃程であり、室温〜150℃が好ましい。反応時間は、反応温度にもよるが、通常10分〜3日間程であり、加熱する場合においても同様の条件である。反応終了後、反応液を中和し、精製し、一般式（４）で表される化合物を得ることができる。
【００６０】
一般式（４）で表される化合物としては、例えば以下の化合物（４−１）〜（４−２０）が挙げられる。
【００６１】
【化１３】
2017088879.tif 000014
【００６２】
この一般式（４）で表される化合物は、後述する一般式（７）で表される化合物において、キサンテン環構造の２つの窒素原子が非対称な置換基を有する化合物並びに、２つのフェニル環構造が非対称な置換基を有する化合物を合成する場合に有用な化合物である。
【００６３】
次に、一般式（４）で表される化合物と一般式（５）で表される化合物とをほぼ等モル量混合し、縮合剤の存在下反応する。
【００６４】
一般式（５）で表される化合物もまた、一般式（１）で表される化合物と同様に既報（非特許文献３）に従い合成することができる。具体的には、上記の化合物（１−１）〜（１−２０）と同様の化合物（但し、化合物（１−１）〜（１−２０）中のＲ2をＲ6で置き換えたものとする）が挙げられる。
【００６５】
縮合剤としては、上記で例示した一般式（４）で表される化合物の合成に用いるものと同様のものが挙げられ、このときも、ジクロロメタンのような溶媒の存在下反応を行ってもよい。
このときの反応温度も、反応基質、縮合剤や用いる溶媒の種類により適宜選択されるが、通常、室温〜200℃程であり、室温〜150℃が好ましい。反応時間は反応温度にもよるが、通常10分〜3日間程であり、加熱する場合においても同様の条件である。反応終了後、反応液を中和し、精製し、一般式（６）で表される化合物を得ることができる。
【００６６】
さらに、前記一般式（６）で表される化合物を環化することで、一般式（７）で表される化合物を得ることができる。このときの環化方法としては、例えば、Ｒ2、Ｒ4及びＲ6がアルキル基の場合、三臭化ホウ素のような脱アルキル化剤が挙げられる。またＲ2、Ｒ4及びＲ6がアルキル基やそれ以外の保護基を用いた場合の環化において、塩酸、酢酸、p-トルエンスルホン酸、p-トルエンスルホン酸ピリジニウム、トリフルオロ酢酸、メタンスルホン酸、水素化ジイソブチルアルミニウム、2,3-ジクロロ-5,6-ジシアノ-p-ベンゾキノンなどを用いることができる。反応終了後、反応液を中和し、精製し、一般式（７）で表される化合物を得ることができる。
【００６７】
一般式（７）で表される化合物は、水素イオンの授受により、以下に示される、中性型、モノカチオン型、ジカチオン型の３つの構造をとり得る。
【００６８】
【化１４】
2017088879.tif 000015
【００６９】
本発明において、一般式（７）で表される化合物には、これら３つの構造が含まれるものとする。
【００７０】
本発明において、Ｒ2及びＲ4の少なくとも一方はアルキル基、アシル基、シリル基及びテトラヒドロピラニル基より選ばれる基であり、一般式（７）で表される化合物を高収率で得るためには、２つのＲ4は同一であることが好ましい。
【００７１】
一般式（７）で表される化合物において、Ｒ1及びＲ5、Ｒ3及びＲ7並びにＲ8及びＲ9は互いに同一であっても異なっていてもよい。Ｒ1及びＲ5、Ｒ3及びＲ7並びにＲ8及びＲ9のうち少なくとも一組が異なる化合物は、Ｒ2及びＲ4が水素原子である従来の合成法では合成することができなかった。本発明の方法は、Ｒ2及びＲ4の少なくとも一方をアルキル基、アシル基、シリル基及びテトラヒドロピラニル基より選ばれる基で保護することにより、キサンテン環構造の２つの窒素原子が非対称な（互いに異なる）置換基を有するアミノベンゾピラノキサンテン系(ABPX)色素化合物並びに、２つのフェニル環構造が非対称な置換基を有するアミノベンゾピラノキサンテン系(ABPX)色素化合物を合成することができる。
また、対称な置換基を有するABPXは、プロトンの付加などの外的刺激に対するアンテナ部位である二つのスピロ環の電子的環境 (例えば、酸性度や求核性など)が同じであるため、中性型からジカチオン型へ速やかに構造変換し、発色や発光の色彩のコントラストが得られにくかった。その反面、キサンテン環構造やフェニル環構造に電子供与性や電子受容性の異なった非対称な置換基を有するABPXは、二つのスピロ環の電子的環境が異なるため、加えるプロトンの濃度に応じて、スピロ環部位の開閉が段階的に起こる。その結果、中性型からモノカチオン型を経てジカチオン型へ構造変換が段階的かつ可逆的となり、3つの平衡種それぞれに由来する発色や発光の色彩のコントラストが強くなる。本性質により、ABPXは色素一分子で、白色発光や黒色を示す特徴をもった色素化合物となる。
【００７２】
このようなキサンテン環構造の２つの窒素原子が非対称な置換基を有するアミノベンゾピラノキサンテン系(ABPX)色素化合物並びに、２つのフェニル環構造が非対称な置換基を有するアミノベンゾピラノキサンテン系(ABPX)色素化合物としては、例えば以下の化合物（７−１）〜（７−１３９）が挙げられる。
【００７３】
【化１５】
2017088879.tif 000016
【００７４】
【化１６】
2017088879.tif 000017
【００７５】
【化１７】
2017088879.tif 000018
【００７６】
【化１８】
2017088879.tif 000019
【００７７】
【化１９】
2017088879.tif 000020
【００７８】
【化２０】
2017088879.tif 000021
【００７９】
【化２１】
2017088879.tif 000022
【００８０】
【化２２】
2017088879.tif 000023
【００８１】
【化２３】
2017088879.tif 000024
【００８２】
【化２４】
2017088879.tif 000025
【００８３】
【化２５】
2017088879.tif 000026
【００８４】
【化２６】
2017088879.tif 000027
【００８５】
【化２７】
2017088879.tif 000028
【００８６】
【化２８】
2017088879.tif 000029
【００８７】
【化２９】
2017088879.tif 000030
【実施例】
【００８８】
以下、実施例及び比較例を挙げて、本願発明をさらに詳細に説明するが、本願発明は下記の例に制限されるものではない。
【００８９】
1Ｈ−ＮＭＲ及び13Ｃ−ＮＭＲは、Varian NMR System 600（Agilent Technologies社製）を用いて測定した。
ＭＳスペクトルは、JMS-700 MStation（日本電子社製）を用いて測定した。
吸収スペクトルは、JASCO V-570（日本分光社製）を用いて測定した。
蛍光スペクトルは、Hitachi F-4500（日立ハイテクサイエンス社製）を用いて測定した。
【００９０】
［実施例１］
2-(2-ヒドロキシ-4-ピロリジニルベンゾイル)安息香酸 (1-A, 0.28 mmol, 文献: Kamino et al., Org. Lett., 2014, 16, 258. 記載の手法により合成) 及び1,3-ジメトキシベンゼン (2-B, 0.14 mmol，和光純薬工業株式会社より購入) の混合物をメタンスルホン酸 (0.7 mL) に加え、24時間110℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX105-a及び化合物ABPX105-bを分離した。この際に化合物ABPX105-aが先に流出し、その後化合物ABPX-105-bが流出した。収率はABPX105-a，ABPX105-b合わせて 73%であった。反応式は以下に示す。
【００９１】
【化３０】
2017088879.tif 000031
【００９２】
化合物ABPX105-aのデータ: 
600 MHz 1H-NMR (CDCl3/TMS) δ (ppm): 7.79 (2H, d), 7.60 (2H, d), 7.51 (2H, d), 7.13 (1H, s), 7.10 (2H, d), 6.51 (2H, d), 6.37 (2H, d), 6.23 (2H, dd), 6.05 (1H, s), 3.25 (8H, m), 2.0 (8H, m).
600 MHz 13C-NMR (CDCl3/TMS) δ (ppm): 169.2, 153.1, 152.6, 152.2, 149.6, 135.1, 129.7, 128.6, 127.7, 126.6, 124.6, 123.9, 116.3, 108.9, 105.1, 104.2, 97.9, 83.6, 47.6, 29.7, 25.5.
LR-MS (FAB), Found: 661.
UV/Vis: λmax = 595 nm (ジカチオン型、pH 2.2−0.2 Mリン酸水素ナトリウム/5 M 塩酸の混合水溶液).
【００９３】
化合物ABPX105-bのデータ: 
600 MHz 1H-NMR (CDCl3/TMS) δ (ppm): 7.81-7.80 (2H, m), 7.43-7.40 (4H, m), 7.13(1H, s), 6.91-6.90 (2H, m), 6.50 (d, 2H), 6.37 (d, 2H), 6.22 (2H, dd), 5.98 (1H, s), 3.27 (8H, m), 2.10-1.99 (8H, m).
600 MHz 13C-NMR (CDCl3/TMS) δ (ppm): 168.9, 153.2, 152.8, 152.3, 149.6, 134.1, 129.3, 128.5, 128.5, 127.2, 124.9, 123.4, 116.3, 108.8, 105.3, 104.3, 98.0, 83.3, 47.6, 29.7, 25.5.
LR-MS (FAB), Found: 661.
【００９４】
［実施例２］
2-(2-メトキシ-4-ピロリジニルベンゾイル)安息香酸 (1-B, 0.34 mmol, 文献: Kamino et al., Org. Lett., 2014, 16, 258. 記載の手法により合成) 及びレゾルシノール(2-A, 0.18 mmol，関東化学株式会社より購入) の混合物をメタンスルホン酸 (1.0 mL) に加え、24時間110℃で攪拌後、反応液に飽和炭酸水素ナトリウム水溶液を加えて液を塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX105-a及び化合物ABPX105-bを分離した。この際に化合物ABPX105-aが先に流出し、その後化合物ABPX105-bが流出した。収率はABPX105-a，ABPX1-5-b合わせて 73%であった。反応式は以下に示す。
【００９５】
【化３１】
2017088879.tif 000032
【００９６】
化合物ABPX105-aのデータ: 
600 MHz 1H-NMR (CDCl3/TMS) δ (ppm): 7.79 (2H, d), 7.60 (2H, d), 7.51 (2H, d), 7.13 (1H, s), 7.10 (2H, d), 6.51 (2H, d), 6.37 (2H, d), 6.23 (2H, dd), 6.05 (1H, s), 3.25 (8H, m), 2.0 (8H, m).
600 MHz 13C-NMR (CDCl3/TMS) δ (ppm): 169.2, 153.1, 152.6, 152.2, 149.6, 135.1, 129.7, 128.6, 127.7, 126.6, 124.6, 123.9, 116.3, 108.9, 105.1, 104.2, 97.9, 83.6, 47.6, 29.7, 25.5.
LR-MS (FAB), Found: 661.
【００９７】
化合物ABPX105-bのデータ: 
600 MHz 1H-NMR (CDCl3/TMS) δ (ppm): 7.81-7.80 (2H, m), 7.43-7.40 (4H, m), 7.13(1H, s), 6.91-6.90 (2H, m), 6.50 (d, 2H), 6.37 (d, 2H), 6.22 (2H, dd), 5.98 (1H, s), 3.27 (8H, m), 2.10-1.99 (8H, m).
600 MHz 13C-NMR (CDCl3/TMS) δ (ppm): 168.9, 153.2, 152.8, 152.3, 149.6, 134.1, 129.3, 128.5, 128.5, 127.2, 124.9, 123.4, 116.3, 108.8, 105.3, 104.3, 98.0, 83.3, 47.6, 29.7, 25.5.
LR-MS (FAB), Found: 661.
【００９８】
［比較例１］
2-(2-ヒドロキシ-4-ピロリジニルベンゾイル)安息香酸 (1-A, 163 mmol, 文献: Kamino et al., Org. Lett., 2014, 16, 258. 記載の手法により合成) 及びレゾルシノール(2-A, 83 mmol，関東化学株式会社より購入)の混合物をメタンスルホン酸 (0.7 mL) に加え、4時間120℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX105-a及び化合物ABPX105-bを分離した。この際に化合物ABPX105-aが先に流出し、その後化合物ABPX105-bが流出した。収率はABPX105-a、ABPX105-b合わせて 35%であった。反応式は以下に示す。反応時間を10時間としても、化合物ABPX105-a、ABPX105-bの収率は合わせて36%に留まった。
【００９９】
【化３２】
2017088879.tif 000033
【０１００】
実施例１〜２及び比較例１の化合物ABPX105-a、ABPX105-bの収率（合算値）と副生成物であるロドールの収率を以下の表１にまとめる。
【０１０１】
【表１】
2017088879.tif 000034
【０１０２】
本発明の製造方法により目的化合物である化合物ABPX105-a、ABPX105-bの収率は、比較例１に比べ2倍以上に向上した。また、化合物ABPX105-a、ABPX105-bに対するロドールの生成比率が低下することがわかった。
【０１０３】
［実施例３］
2-(2-ヒドロキシ-4-ピロリジニルベンゾイル)安息香酸 (1-A, 0.17 mmol, 文献: Kamino et al., Org. Lett., 2014, 16, 258. 記載の手法により合成) 及び1,3-ジエトキシベンゼン (2-C, 0.081 mmol，文献: Kamino et al., Biorg. Med. Chem. Lett., 2008, 18, 4380. 記載の手法により合成) の混合物をメタンスルホン酸 (5 mL) に加え、24時間110℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX105-a及び化合物ABPX105-bを分離した。この際に化合物ABPX105-aが先に流出し、その後化合物ABPX105-bが流出した。収率はABPX105-a、ABPX105-b合わせて 56%であった。反応式は以下に示す。
【０１０４】
【化３３】
2017088879.tif 000035
【０１０５】
化合物ABPX105-aのデータ: 
1H-NMR (CDCl3/TMS) δ (ppm): 7.79 (2H, d), 7.60 (2H, d), 7.51 (2H, d), 7.13 (1H, s), 7.10 (2H, d), 6.51 (2H, d), 6.37 (2H, d), 6.23 (2H, dd), 6.05 (1H, s), 3.25 (8H, m), 2.0 (8H, m).
13C-NMR (CDCl3/TMS) δ (ppm): 169.2, 153.1, 152.6, 152.2, 149.6, 135.1, 129.7, 128.6, 127.7, 126.6, 124.6, 123.9, 116.3, 108.9, 105.1, 104.2, 97.9, 83.6, 47.6, 29.7, 25.5.
LR-MS (FAB), Found: 661.
【０１０６】
化合物ABPX105-bのデータ: 
600 MHz 1H-NMR (CDCl3/TMS) δ (ppm): 7.81-7.80 (2H, m), 7.43-7.40 (4H, m), 7.13(1H, s), 6.91-6.90 (2H, m), 6.50 (d, 2H), 6.37 (d, 2H), 6.22 (2H, dd), 5.98 (1H, s), 3.27 (8H, m), 2.10-1.99 (8H, m).
600 MHz 13C-NMR (CDCl3/TMS) δ (ppm): 168.9, 153.2, 152.8, 152.3, 149.6, 134.1, 129.3, 128.5, 128.5, 127.2, 124.9, 123.4, 116.3, 108.8, 105.3, 104.3, 98.0, 83.3, 47.6, 29.7, 25.5.
LR-MS (FAB), Found: 661.
【０１０７】
［実施例４］
2-(2-ヒドロキシ-4-ピロリジニルベンゾイル)安息香酸 (1-A, 0.015 mmol, 文献: Kamino et al., Org. Lett., 2014, 16, 258. 記載の手法により合成) 及び1,3-ジイソプロポキシベンゼン (2-D, 0.074 mmol，文献: Kamino et al., Biorg. Med. Chem. Lett., 2008, 18, 4380. 記載の手法により合成) の混合物をメタンスルホン酸 (5 mL) に加え、24時間110℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX105-a及び化合物ABPX105-bを分離した。この際に化合物ABPX105-aが先に流出し、その後化合物ABPX105-bが流出した。収率はABPX105-a、ABPX105-b合わせて 74%であった。反応式は以下に示す。
【０１０８】
【化３４】
2017088879.tif 000036
【０１０９】
化合物ABPX105-aのデータ: 
600 MHz 1H-NMR (CDCl3/TMS) δ (ppm): 7.79 (2H, d), 7.60 (2H, d), 7.51 (2H, d), 7.13 (1H, s), 7.10 (2H, d), 6.51 (2H, d), 6.37 (2H, d), 6.23 (2H, dd), 6.05 (1H, s), 3.25 (8H, m), 2.0 (8H, m).
600 MHz 13C-NMR (CDCl3/TMS) δ (ppm): 169.2, 153.1, 152.6, 152.2, 149.6, 135.1, 129.7, 128.6, 127.7, 126.6, 124.6, 123.9, 116.3, 108.9, 105.1, 104.2, 97.9, 83.6, 47.6, 29.7, 25.5.
LR-MS (FAB), Found: 661.
【０１１０】
化合物ABPX105-bのデータ: 
600 MHz 1H-NMR (CDCl3/TMS) δ (ppm): 7.81-7.80 (2H, m), 7.43-7.40 (4H, m), 7.13(1H, s), 6.91-6.90 (2H, m), 6.50 (d, 2H), 6.37 (d, 2H), 6.22 (2H, dd), 5.98 (1H, s), 3.27 (8H, m), 2.10-1.99 (8H, m).
600 MHz 13C-NMR (CDCl3/TMS) δ (ppm): 168.9, 153.2, 152.8, 152.3, 149.6, 134.1, 129.3, 128.5, 128.5, 127.2, 124.9, 123.4, 116.3, 108.8, 105.3, 104.3, 98.0, 83.3, 47.6, 29.7, 25.5.
LR-MS (FAB), Found: 661.
【０１１１】
［参考例１］
反応温度以外は実施例４と同様の条件で、反応温度を室温から130℃まで種々に変えて化合物ABPX105-a及び化合物ABPX105-bの合成を行なった。いずれの反応温度でも、化合物ABPX105-a及び化合物ABPX105-bの生成を確認したが、反応温度110℃において化合物ABPX105-a及び化合物ABPX105-bが最も収率高く得られることがわかった。
【０１１２】
［実施例５］
2-(2-ヒドロキシ-4-ピペリジニルベンゾイル)安息香酸 (1-C, 0.17 mmol, 文献: Kamino et al., Org. Lett., 2014, 16, 258. 記載の手法により合成) 及び1,3-ジイソプロポキシベンゼン (2-D, 0.081 mmol，文献: Kamino et al., Biorg. Med. Chem. Lett., 2008, 18, 4380. 記載の手法により合成) の混合物をメタンスルホン酸 (5 mL) に加え、24時間110℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX106-a及び化合物ABPX106-bを分離した。この際に化合物ABPX106-aが先に流出し、その後化合物ABPX106-bが流出した。収率は化合物ABPX106-a及び化合物ABPX106-b合わせて 53%であった。反応式は以下に示す。
【０１１３】
【化３５】
2017088879.tif 000037
【０１１４】
化合物ABPX106-aのデータ: 
1H-NMR (CDCl3, 600 MHz): δ 7.81-7.84 (m, 2 H), 7.63 (ddd, 2 H, J = 7.8, 7.8, 1.2 Hz), 7.54 (ddd, 2 H, J = 7.8, 7.8, 0.6 Hz), 7.15 (s, 1 H), 7.10-7.13 (m, 2 H), 6.73 (d, 2 H, J = 2.4 Hz), 6.59 (dd, 2 H, J = 8.4, 1.8 Hz), 6.54 (d, 2 H, J = 9.6 Hz ), 6.53 (d, 2 H, J = 9.1 Hz), 3.25-3.27 (m, 8 H), 1.67-1.71 (m, 8 H), 1.58-1.64 (m, 4 H).
13C-NMR (CDCl3, 600 MHz): δ 169.19, 153.50, 153.08, 153.07, 152.41, 152.15, 135.16, 129.80, 128.36, 127.75, 126.35, 124.67, 123.91, 116.27, 112.21, 107.81, 104.31, 101.76, 82.95, 49.32, 25.40, 24.30.
LRMS (ESI) Found 668.
【０１１５】
化合物ABPX106-bのデータ: 
1H-NMR (CDCl3, 600 MHz): δ 7.82-7.86 (m, 2 H), 7.43-7.48 (m, 4 H), 7.18 (s, 1 H), 6.90-6.94 (m, 2 H), 6.75 (m, 2 H), 6.57-6.60 (m, 4 H), 6.04 (s, 1 H), 3.86-3.87 (m, 8 H), 3.21-3.23 (m, 8 H). 
13C-NMR (CDCl3, 600 MHz): δ 168.76, 153.11, 153.04, 152.54, 152.10, 134.28, 129.49, 128.54, 128.50, 126.86, 125.09, 123.28, 116.35, 111.68, 109.46, 104.47, 101.85, 82.25, 66.63, 48.25, 29.73 
LRMS (ESI) Found 688.
【０１１６】
［実施例６］
2-(2-ヒドロキシ-4-モルフォリニルベンゾイル)安息香酸(1-D, 0.17 mmol, 文献: Kamino et al., Org. Lett., 2014, 16, 258. 記載の手法により合成) 及び1,3-ジイソプロポキシベンゼン (2-D, 0.080 mmol，文献: Kamino et al., Biorg. Med. Chem. Lett., 2008, 18, 4380. 記載の手法により合成) の混合物をメタンスルホン酸 (5 mL) に加え、24時間110℃で攪拌後、反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX107-a及び化合物ABPX107-bを分離した。この際に化合物ABPX107-aが先に流出し、その後化合物ABPX107-bが流出した。収率は化合物ABPX107-a及び化合物ABPX107-b合わせて 66%であった。反応式は以下に示す。
【０１１７】
【化３６】
2017088879.tif 000038
【０１１８】
化合物ABPX107-aのデータ: 
1H-NMR (CDCl3, 600 MHz): δ 7.82-7.84 (m, 2 H), 7.64 (ddd, 2 H, J = 7.2, 7.2, 1.2 Hz), 7.56 (ddd, 2 H, J = 7.8, 7.8, 1.2 Hz), 7.17 (s, 1 H), 7.11-7.12 (m, 2 H), 6.75 (d, 2 H, J = 0.6 Hz), 6.58-6.62 (m, 4 H), 6.12 (s, 1 H), 3.86-3.87 (m, 8 H), 3.22-3.24 (m, 8 H).
13C-NMR (CDCl3, 600 MHz): δ 160.03, 152.96, 152.30, 152.12, 135.26, 129.93, 128.55, 127.78, 124.79, 123.82, 116.36, 111.73, 104.42, 101.81, 66.63, 48.23.
LRMS (ESI) Found 692.
【０１１９】
化合物ABPX107-bのデータ: 
1H-NMR (CDCl3, 600 MHz): δ 7.84-7.88 (m, 2 H), 7.44-7.49 (M, 4), 7.56 (ddd, 2 H, J = 7.8, 7.8, 1.2 Hz), 7.17 (s, 1 H), 7.11-7.12 (m, 2 H), 6.75 (d, 2 H, J = 0.6 Hz), 6.58-6.62 (m, 4 H), 6.12 (s, 1 H), 3.86-3.87 (m, 8 H), 3.22-3.24 (m, 8 H).
13C-NMR (CDCl3, 600 MHz): δ 160.03, 152.96, 152.30, 152.12, 135.26, 129.93, 128.55, 127.78, 124.79, 123.82, 116.36, 111.73, 104.42, 101.81, 66.63, 48.23.
LRMS (ESI) Found 692. 
【０１２０】
［実施例7］
8-(2-カルボキシメチルベンゾイル)-7-ヒドロキシ-1,1-ジメチル-N-メチルキノリン (1-E, 0.17 mmol, 文献: Kamino et al., Org. Lett., 2014, 16, 258. 記載の手法により合成) 及び1,3-ジイソプロポキシベンゼン (2-D, 0.082 mmol，文献: Kamino et al., Biorg. Med. Chem. Lett., 2008, 18, 4380. 記載の手法により合成) の混合物をメタンスルホン酸 (5 mL) に加え、室温で12時間攪拌を行い、続けて12時間110℃で攪拌後，反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX101-a及び化合物ABPX101-bを分離した。この際に化合物ABPX101-aが先に流出し、その後化合物ABPX101-bが流出した。収率は化合物ABPX101-a及び化合物ABPX101-b合わせて 62%であった。反応式は以下に示す。
【０１２１】
【化３７】
2017088879.tif 000039
【０１２２】
化合物ABPX101-aのデータ: 
1H-NMR (CDCl3, 500 MHz): δ 7.79 (d, 2H, J = 7.4 Hz), 7.61 (ddd, 2H, J = 7.5, 7.5 Hz, 1.2 Hz), 7.52 (ddd, 2H, J = 7.5, 7.5, 1.2 Hz), 7.12 (d, 2H, J = 7.5 Hz), 7.09 (s, 1H), 6.38 (s, 2H), 6.37 (s, 2H), 5.97 (s, 1H), 3.13-3.23 (m, 4H), 2.96 (s, 6H), 1.64 (t, 4H, 5.8 Hz), 1.04 (s, 6H), 0.95 (s, 6H).
13C-NMR (CDCl3, 500 MHz): δ169.25, 153.13, 152.04, 151.06, 147.32, 134.91, 129.59, 128.43, 127.53, 126.69, 124.42, 123.97, 123.92, 116.27, 104.83, 103.96, 96.92, 83.92, 47.27, 39.09, 36.42, 31.60, 30.90, 30.05, 30.03.
LRMS (ESI) Found 359.
【０１２３】
化合物ABPX101-bのデータ: 
1H-NMR (CDCl3, 500 MHz): δ 7.82 (dd, 2H, J = 6.3, 1.7 Hz), 7.44 (td, 2H, J = 6.9, 1.7 Hz), 7.42 (td, 2H, J = 7.5,1.8 Hz), 7.09 (s, 1H), 6.87 (dd, 2H, J = 5.8, 1.7 Hz), 6.38 (s, 2H), 6.37 (s, 2H), 5.91 (s, 1H), 3.32-3.22 (m, 4H), 2.95 (s, 6H), 1.64-1.59 (m, 4H), 1.04 (s, 6H), 0.93 (s, 6H).
13C-NMR (CDCl3, 500 MHz): δ 168.88, 153.17, 152.14, 151.27, 147.30, 133.96, 129.16, 128.39, 128.28, 127.23, 124.81, 123.90, 123.33, 116.26, 104.98, 104.07, 96.96, 83.56, 47.27, 39.10, 36.43, 31.59, 30.04, 30.01.
LRMS (ESI) Found 359.
【０１２４】
［実施例8］
8-(2-カルボキシメチルベンゾイル)-9-ヒドロキシ-1,1-ジメチル-N-メチルキノリン (1-F, 0.16 mmol, 文献: Kamino et al., Org. Lett., 2014, 16, 258. 記載の手法により合成) 及び1,3-ジイソプロポキシベンゼン (2-D, 0.078 mmol，文献: Kamino et al., Biorg. Med. Chem. Lett., 2008, 18, 4380. 記載の手法により合成) の混合物をメタンスルホン酸 (5 mL) に加え、室温で12時間攪拌を行い、続けて12時間110℃で攪拌後，反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX102-a及び化合物ABPX102-bを分離した。この際に化合物ABPX102-aが先に流出し、その後化合物ABPX102-bが流出した。収率は化合物ABPX102-a及び化合物ABPX102-b合わせて 34%であった。反応式は以下に示す。
【０１２５】
【化３８】
2017088879.tif 000040
【０１２６】
化合物ABPX102-aのデータ: 
1H-NMR (CDCl3, 500 MHz): δ 7.78 (d, 2H, J = 7.5 Hz), 7.60 (ddd, 2H, J = 7.5, 7.5, 1.2 Hz), 7.50 (ddd, 2H, J = 7.5, 7.5, 1.2 Hz), 7.21 (s, 1H), 7.14 (d, 2H, J = 7.5 Hz), 6.40 (d, 2H, J = 9.2 Hz), 6.30 (d, 2H, J = 8.5 Hz), 6.04 (s, 1H), 3.21 (t, 4H, J = 5.5 Hz), 2.87 (s, 6H), 1.88 (t, 4H, J = 5.4 Hz), 1.64 (s, 12 H).
13C-NMR (CDCl3, 500 MHz): δ 169.09, 153.01, 151.68, 151.13, 148.51, 134.89, 129.61, 126.84, 125.96, 124.63, 123.98, 117.19, 116.37, 108.35, 107.27, 103.71, 84.05, 47.70, 40.54, 40.15, 32.44, 29.85, 29.73.
LRMS (ESI) Found 359.
【０１２７】
化合物ABPX102-bのデータ: 
1H-NMR (CDCl3, 500 MHz): δ 7.84-7.80 (m, 2H), 7.46 (m, 2H), 7.45 (m, 2H), 7.22 (s, 1H), 6.98-6.95 (m, 2H), 6.38 (d, J = 9.2 Hz, 2H), 6.29 (d, J = 9.2 Hz, 2H), 6.01 (s, 1H), 3.26-3.16 (m, 4H), 2.87 (s, 6H), 1.91-1.86 (m, 4H), 1.65 (s, 6H), 1.62 (s, 6H). 
13C-NMR (CDCl3, 500 MHz): δ 168.74, 153.07, 151.69, 151.36, 148.50, 133.97, 129.27, 127.60, 127.42, 125.91, 125.00, 123.48, 117.25, 116.34, 108.30, 107.45, 103.77, 83.74, 47.69, 40.53, 40.15, 32.43, 29.89, 29.68.
LRMS (ESI) Found 359.
【０１２８】
［実施例9］
9-(2-カルボキシベンゾイル)-8-ヒドロキシジュロリジン(1-G, 0.17 mmol, 文献: Kamino et al., Org. Lett., 2014, 16, 258. 記載の手法により合成) 及び1,3-ジイソプロポキシベンゼン (2-D, 0.078 mmol，文献: Kamino et al., Biorg. Med. Chem. Lett., 2008, 18, 4380. 記載の手法により合成) の混合物をメタンスルホン酸 (5 mL) に加え、室温で12時間攪拌を行い、続けて12時間110℃で攪拌後，反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX103-a及び化合物ABPX103-bを分離した。この際に化合物ABPX103-aが先に流出し、その後化合物ABPX103-bが流出した。収率は化合物ABPX103-a及び化合物ABPX103-b合わせて 56%であった。反応式は以下に示す。
【０１２９】
【化３９】
2017088879.tif 000041
【０１３０】
化合物ABPX103-aのデータ: 
1H-NMR (CDCl3, 500 MHz): δ 7.76 (d, 2H, J = 8.0 Hz), 7.59 (ddd, J = 7.4, 7.4, 1.2 Hz, 2H), 7.49 (ddd, 2H, J = 7.2, 7.2, 1.2 Hz), 7.17 (s, 1H), 7.12 (d, 2H, J = 7.5 Hz), 6.05 (s, 2H), 5.96 (s, 1H), 3.18 (t, 4H, J = 5.5 Hz), 3.13 (t, 4H, J = 5.5 Hz), 2.94 (t, 4H, J = 6.6 Hz), 2.54-2.44 (m, 4H), 2.04-2.00 (m, 4H), 1.88-1.84 (m, 4H).
13C-NMR (CDCl3, 500 MHz): δ 169.25, 153.13, 152.00, 147.89, 144.65, 134.88, 129.50, 127.50, 126.80, 124.60, 124.42, 124.05, 117.87, 116.00, 107.28, 104.95, 104.19, 84.26, 49.81, 49.35, 29.68, 27.27, 21.68, 21.13, 20.95.
LRMS (ESI) Found: 357.
【０１３１】
化合物ABPX103-bのデータ: 
1H-NMR (CDCl3, 500 MHz): δ 7.80 (d, 2H, J = 6.3 Hz), 7.42 (t, 2H, J = 6.9 Hz), 7.42 (t, 2H, J = 6.9 Hz), 7.18 (s, 1H), 6.90 (d, 2H, J = 5.2 Hz), 6.04 (s, 2H), 5.91 (s, 1H), 3.17 (t, 4H, J = 6.9 Hz), 3.12 (t, 4H, J = 6.9 Hz), 2.99-2.88 (m, 4H), 2.49-2.42 (m, 4H), 2.07-1.97 (m, 4H), 1.89-1.80 (m, 4H):
13C-NMR (CDCl3, 500 MHz): δ 168.87, 153.20, 152.09, 148.11, 144.64, 133.93, 129.09, 128.25, 127.39, 124.82, 124.56, 123.45, 117.85, 116.00, 107.37, 105.10, 104.34, 83.92, 49.82, 49.37, 27.28, 21.70, 21.14, 20.96. 
HRMS (ESI) Found: 357.
【０１３２】
［実施例10］
1,1,7,7,-テトラメチル-8-ヒドロキシジュロリジン(1-H, 0.14 mmol, 文献: Kamino et al., Org. Lett., 2014, 16, 258. 記載の手法により合成) 及び1,3-ジイソプロポキシベンゼン (2-D, 0.068 mmol，文献: Kamino et al., Biorg. Med. Chem. Lett., 2008, 18, 4380. 記載の手法により合成) の混合物をメタンスルホン酸 (5 mL) に加え、室温で12時間攪拌を行い、続けて12時間110℃で攪拌後，反応液に飽和炭酸水素ナトリウム水溶液を加えて塩基性にし、クロロホルムで抽出した。有機層を硫酸マグネシウムで乾燥した後、減圧で溶媒を留去し、得られた粗生成物をクロロホルムに溶かし、シリカゲルカラムクロマトグラフィーにかけ、化合物ABPX108-a及び化合物ABPX108-bを分離した。この際に化合物ABPX108-aが先に流出し、その後化合物ABPX108-bが流出した。収率は化合物ABPX108-a及び化合物ABPX108-b合わせて 17%であった。反応式は以下に示す。
【０１３３】
【化４０】
2017088879.tif 000042
【０１３４】
化合物ABPX108-aのデータ: 
1H-NMR (CDCl3, 500 MHz): δ 7.80-8.83 (m, 2H), 7.62 (ddd, 2H, J = 7.8, 7.8, 1.2 Hz), 7.52 (ddd, 2H, J = 7.2, 7.2, 0.6 Hz), 7.18 (s, 1H), 7.17 (d, 2H, J = 7.8 Hz), 6.31 (m, 2H), 5.99 (s, 1H), 3.12-3.19 (m, 8 H), 1.87-1.89 (m, 4H), 1.65-1.67 (m, 16 H), 1.27 (m, 4H), 1.04 (m, 4H), 0.96 (m, 4H). 
LRMS (ESI), Found 824.
化合物ABPX108-aのデータ:
LRMS (ESI), Found 824.
【０１３５】
実施例３〜１０で得られた各化合物の収率（合算値）と副生成物であるロドールの収率を以下の表２にまとめる。
【０１３６】
【表２】
2017088879.tif 000043
【０１３７】
実施例５〜１０及び比較例１で得られた各化合物を、2.5体積%トリフルオロ酢酸を含むクロロホルムに溶解して、吸収スペクトル及び蛍光スペクトルを測定した。本測定条件において、各化合物はジカチオン型構造である。
蛍光量子収率は、エタノール中におけるローダミンBを基準物質(Φfl = 0.73)とし、相対法により算出した。
【０１３８】
【表３】
2017088879.tif 000044
【０１３９】
特に実施例５及び実施例９において、蛍光量子収率の高い化合物を得ることができた。
【０１４０】
［実施例１１］
2-(4-ジエチルアミノ-2-ヒドロキシベンゾイル)安息香酸 (3-A, 1.0 mmol, 文献: Kamino et al., Chem. Commun., 2010, 46, 9013. 記載の手法により合成) および1,3-ジメトキシベンゼン (2-B, 1.0 mmol，和光純薬工業株式会社より購入) の混合物を8%のメタンスルホン酸を含むジクロロメタン溶液 (4.35 mL) に加え、室温で2時間攪拌後，反応液に飽和炭酸水素ナトリウム水溶液を加えて液を塩基性にし、クロロホルムで抽出した。有機層を硫酸ナトリウムで乾燥した後、減圧で溶媒を留去し、得られた粗生成物をクロロホルムに溶かし、シリカゲルカラムクロマトグラフィーにかけ、化合物BF3A2Bを分離した。収率は65%であった。
続いて、3-[4-(ジエチルアミノ)-2-ヒドロキシフェニル]-3-[2,4-ジメトキシフェニル]-1-イソベンゾフラノン (BF3A2B, 0.25 mmol) および2-(2-ヒドロキシ-4-ピロリジニルベンゾイル)安息香酸(1-A, 0.25 mmmol) の混合物を10%のメタンスルホン酸を含むジクロロメタン溶液 (4.0 mL) に加え、室温で2時間攪拌後、反応液に飽和炭酸水素ナトリウム水溶液を加えて液を塩基性にし、クロロホルムで抽出した。有機層を硫酸ナトリウムで乾燥した後、減圧で溶媒を留去し、得られた粗生成物をクロロホルムに溶かし、シリカゲルカラムクロマトグラフィーにかけ、化合物ABPX500-bを分離した。収率は37%であった。
【０１４１】
【化４１】
2017088879.tif 000045
【０１４２】
化合物BF3A2Bの構造データ：
600 MHz 1H-NMR (CDCl3/TMS) δ (ppm): 7.94-7.92 (1H, m), 7.65-7.62 (1H, m), 7.53-7.50 (1H, m), 7.42-7.40 (1H, m), 7.02 (1H, d, J = 8.5 Hz), 6.92 (1H, d, J = 8.8 Hz), 6.40 (1H, m), 6.38 (1H, dd, J = 8.5, 2.3 Hz), 6.34 (1H, dd, J = 7.0, 2.6 Hz), 6.13 (1H, dd, J = 8.8, 2.6 Hz), 3.76 (3H, s), 3.41 (3H, s), 3.33 (4H, q, J = 7.3 Hz), 1.15 (6H, t, J = 7.3 Hz).
600 MHz 13C-NMR (CDCl3/TMS) δ (ppm): 169.4, 161.9, 159.1, 156.6, 151.5, 149.7, 133.1, 130.5, 128.6, 127.2, 125.4, 124.1, 119.2, 111.3, 103.9, 103.0, 100.8, 100.2, 91.8, 55.5, 55.3, 44.3, 12.6.
LR-MS (FAB), Found: 434.
【０１４３】
化合物ABPX500-bの構造データ:
600 MHz 1H-NMR (CDCl3/TMS) δ (ppm): 7.82-7.80 (2H, m), 7.44-7.40 (4H, m), 7.14(1H, s), 6.93-6.90 (2H, m), 6.50-6.47 (3H, m), 6.37 (1H, d, J = 2.3 Hz), 6.31 (1H, dd, J = 8.8, 2.5 Hz), 6.22 (1H, dd, J = 8.8, 2.3 Hz), 5.98 (1H, s), 3.36 (4H, q, J = 7.0 Hz), 3.30-3.28 (4H, m), 2.02-2.00 (4H, m), 1.16 (6H, t, J = 7.0 Hz).
600 MHz 13C-NMR (CDCl3/TMS) δ (ppm): 168.9, 168.8, 153.2, 153.2, 153.1, 152.8, 152.3, 152.1, 149.7, 149.6, 134.1, 134.0, 129.2, 128.6, 128.5, 127.3, 127.2, 124.9, 123.4, 123.3, 108.8, 108.4, 105.3, 105.1, 104.3, 97.9, 97.7, 83.3, 83.2, 47.6, 44.5, 25.5, 12.5.
LR-MS (FAB), Found: 663.
UV/Vis: λmax = 594 nm (ジカチオン型、pH 2.5−0.2 Mクエン酸ナトリウム/1 M 塩酸の混合水溶液).
【０１４４】
[実施例１２]
3-[4-(ジエチルアミノ)-2-ヒドロキシフェニル]-3-[2,4-ジメトキシフェニル]-1-イソベンゾフラノン (BF3A2B, 0.23 mmol) および2-(4-ジブチルアミノ-4-メトキシベンゾイル)安息香酸 (4-A, 0.23 mmol，関東化学株式会社より購入) の混合物を10%のメタンスルホン酸を含むジクロロメタン溶液 (5.0 mL) に加え、室温で2時間攪拌後、反応液に飽和炭酸水素ナトリウム水溶液を加えて液を塩基性にし、クロロホルムで抽出した。有機層を硫酸ナトリウムで乾燥した後、減圧で溶媒を留去し、得られた粗生成物をクロロホルムに溶かし、シリカゲルカラムクロマトグラフィーにかけ、化合物ABPX501-bを分離した。
【０１４５】
【化４２】
2017088879.tif 000046
【０１４６】
化合物ABPX501-bの構造データ：
600 MHz 1H-NMR (CDCl3/TMS) δ (ppm): 7.82-7.80 (2H, m), 7.44-7.40 (4H, m), 7.14 (1H, s), 6.93-6.90 (2H, m), 6.48-6.43 (4H, m), 6.31 (1H, m), 6.28 (1H, dd, J = 9.1, 2.3 Hz), 5.97 (1H, s), 3.35 (4H, q, J = 7.0 Hz), 3.30-3.23 (4H, m), 1.59-1.53 (4H, m), 1.37-1.31 (4H, m), 1.16 (6H, t, J = 7.3 Hz), 0.94 (t, 6H, J = 7.3 Hz).
LR-MS (FAB), Found: 721.
【０１４７】
［参考例２］
実施例１において、縮合剤としてメタンスルホン酸の代わりにトリフルオロメタンスルホン酸を用いた以外は実施例１と同様にして化合物ABPX105-a、ABPX105-bを得た。収率は化合物ABPX105-a、ABPX105-b合わせて 9%であり、ロドールの収率は77%であった。
【産業上の利用可能性】
【０１４８】
本発明の製造方法により、高収率でアミノベンゾピラノキサンテン系(ABPX)色素化合物を得ることができる。キサンテン環構造の窒素部位を縮環したアミノベンゾピラノキサンテン系(ABPX)色素化合物は、発光効率が高く着色料や顔料、染色剤としての各種色素材料、蛍光イメージング色素、色素増感型太陽電池等様々な分野に有用な化合物として期待される。
さらに、本発明の製造方法によれば、従来合成できなかった、キサンテン環構造並びにフェニル環構造が非対称な置換基を有するアミノベンゾピラノキサンテン系(ABPX)色素化合物を合成することができる。キサンテン環構造やフェニル環構造に電子供与性や電子受容性の異なった非対称な置換基を有するABPXは、二つのスピロ環の電子的環境が異なるため、加えるプロトンの濃度に応じて、スピロ環部位の開閉が段階的に起こる。その結果、中性型からモノカチオン型を経てジカチオン型へ構造変換が段階的かつ可逆的となり、3つの平衡種それぞれに由来する発色や発光の色彩のコントラストが強くなる。本性質により、ABPXは色素一分子で、白色発光や黒色を示す特徴をもった色素化合物となり、オプトエレクトロニクス材料やセンシング材料としても期待される。